(57)【要約】【課題】本発明は、ＰＥＴボトル等の合成樹脂容器に装着されたシュリンクフィルムの取り外しの改善をしたものであって、被装着体からシュリンクフィルムを容易に取り外すことが出来るシュリンクフィルムを備えた合成樹脂容器を提供することを目的とする。【解決手段】シュリンクフィルム（２）により形成された筒状フィルムであり、且つミシン目が少なくとも1列、合成樹脂容器の縦方向に付けられた筒状フィルムをＰＥＴボトル（１）等の合成樹脂容器に嵌め合わせる際、該ＰＥＴボトル（１）等の下面の座り部（４）よりも内側までシュリンクフィルム（２）が巻かれていることを特徴とするシュリンクフィルムを備えた合成樹脂容器である。【選択図】図１
2008285194.tif 000002
【特許請求の範囲】
【請求項１】
シュリンクフィルムにより形成された筒状フィルムであり、且つミシン目が少なくとも1列、合成樹脂容器の縦方向に付けられた筒状フィルムをＰＥＴボトル等の合成樹脂容器に嵌め合わせる際、該ＰＥＴボトル等の下面の座り部よりも内側までシュリンクフィルムが巻かれていることを特徴とするシュリンクフィルムを備えた合成樹脂容器。
【請求項２】
前記シュリンクフィルムがＰＥＴボトル下面の座り部より、０〜５ｍｍ内側の範囲内まで巻かれていることを特徴とする請求項1記載のシュリンクフィルムを備えた合成樹脂容器。
【発明の詳細な説明】
【技術分野】
【０００１】
本発明は、ガラス瓶、プラスチックボトル等の一部に熱収縮を利用して被覆されるシュリンクフィルムを備えた合成樹脂容器に関するもので、特にボトルより容易に取り外すことができるシュリンクフィルムを備えた合成樹脂容器に関するものである。
【背景技術】
【０００２】
近年、液体飲料用などの合成樹脂容器には、ポリエチレンテフタレート製プリフォームをブロー成形により形成した所謂ＰＥＴボトルが多用されている。一般にＰＥＴボトルの胴部には、商品名やメーカー名、購買意欲を高めるデザイン等を印刷した筒状のフィルムが装着される。このフィルムは、熱収縮性を有する延伸フィルムを用いることが多い。このシュリンクフィルムは、図６に示すように、ＰＥＴボトル（１）の胴部よりも大径で筒状に形成されている。その筒状のシュリンクフィルム（２）には、予め商品名等の印刷を施してある。一方、被装着体のＰＥＴボトル（１）は、該ＰＥＴボトル（１）の底面の凹み部（３）にＰＥＴボトル固定治具（６）をセットしておく。このような状態のＰＥＴボトル（１）の胴部に前記シュリンクフィルム（２）を被せ、側面より熱風又は高温の蒸気を吹き付けることで、収縮させ、装着する作業が行われる。
【０００３】
ところで、環境保護の問題から商品をリサイクルすることが法律で定められ、材質ごとに分別回収をする必要が出てきている。ＰＥＴボトルに装着されたシュリンクフィルムの材質はポリエチレンテフタレートではなく、塩化ビニルやポリプロピレンが使用されている。そのため、リサイクルするためには、両者を分別する必要がある。
【０００４】
従来は、図５に示すように、ＰＥＴボトル（１）の座り部（４）の内側に凹み部（３）を有する底面より若干上にシュリンクフィルム（２）の下端が位置した状態で装着される。従って、ＰＥＴボトル（１）にシュリンクフィルム（２）が密着し、切れ目を作るためのきっかけ作りを容易とするＰＥＴボトル（１）とシュリンクフィルム（２）との隙間が無くなり、シュリンクフィルム（２）を剥がすことが困難となる。
【０００５】
そこで、このシュリンクフィルム（２）を剥がす方法として、シュリンクフィルム（２）の中央部分に縦方向にミシン目（５）を連続的に設けることが挙げられているが、ミシン目（５）の上下端よりきっかけを作る際に、シュリンクフィルム（２）が熱収縮によりＰＥＴボトル（１）等の曲面に隙間無く密着しており、容易にきっかけを作ることが難しい。
【０００６】
さらに、ミシン目の形状や、配列を変化させることによる引き裂き性の向上を目的とした特許が出願されている。
【０００７】
さらには、シュリンクフィルム端部のミシン目とミシン目の間に、凸状にはみ出した部分を故意に設けることで、凸部を容易につまむことを可能とする特許も出願されている。（例えば、特許文献１参照。）。
【０００８】
しかし、シュリンクフィルム端部のミシン目とミシン目の間に凸部を設けると、シュリンクフィルム装着の際に熱収縮すると同時に凸部が起き上がってしまい、デザイン性を悪くしてしまうことがある。更に、起き上がった凸部を引っ掛けてしまうことにより、シュリンクフィルムに破れが起きてしまうという問題があった。
【０００９】
以下に先行技術文献を示す。
【特許文献１】実公平５−１６６３４号公報
【発明の開示】
【発明が解決しようとする課題】
【００１０】
本発明は、このような従来技術の問題点を解決しようとするものであり、ＰＥＴボトル等の合成樹脂容器に装着されたシュリンクフィルムの取り外しの改善をしたものであって、被装着体からシュリンクフィルムを容易に取り外すことが出来るシュリンクフィルムを備えた合成樹脂容器を提供することを目的とする。
【課題を解決するための手段】
【００１１】
本発明は、上記の課題を解決するために成されたものであり、本発明の請求項１に係る発明は、シュリンクフィルム（２）により形成された筒状フィルムであり、且つミシン目（５）が少なくとも1列、合成樹脂容器の縦方向に付けられた筒状フィルムをＰＥＴボトル（１）等の合成樹脂容器に嵌め合わせる際、該ＰＥＴボトル（１）等の下面の座り部（４）よりも内側までシュリンクフィルム（２）が巻かれていることを特徴とするシュリンクフィルムを備えた合成樹脂容器である。
【００１２】
本発明の請求項２に係る発明は、請求項１記載のシュリンクフィルムを備えた合成樹脂容器において、前記シュリンクフィルム（２）がＰＥＴボトル（１）下面の座り部（４）より、０〜５ｍｍ内側の範囲内まで巻かれていることを特徴とするシュリンクフィルムを備えた合成樹脂容器である。
【発明の効果】
【００１３】
本発明に係るシュリンクフィルムを備えた合成樹脂容器は、シュリンクフィルムにより形成された筒状フィルムであり、かつミシン目が少なくとも1列、合成樹脂容器の縦方向に付けられた筒状フィルムをＰＥＴボトル等の合成樹脂容器に嵌め合わせる際、該ＰＥＴボトル等の下面の座り部よりも内側までシュリンクフィルムが巻かれていることにより、ＰＥＴボトル等の下面の座り部とシュリンクフィルムとの間に隙間ができるために、容易に指を掛けることが可能となり、ミシン目に切れ目を入れることができる。
【００１４】
また、前記シュリンクフィルムがＰＥＴボトル下面の座り部より、０〜５ｍｍ内側の範囲内まで巻かれていることにより、シュリンクフィルムに印刷されている広告、宣伝、デザイン等をシワ無く装着することが可能であり、且つＰＥＴボトル等を置いたときの安定性を損なうことなく、ミシン目に切れ目を入れることが可能となる。
【００１５】
さらに、今まで出来なかったＰＥＴボトル等の下面に広告、宣伝、デザインを付与することが可能となることや、ＰＥＴボトル等の下面より入射する特定波長の光を遮光することが可能となり、内容物の劣化を抑えることが可能となる。
【発明を実施するための最良の形態】
【００１６】
本発明の実施の形態を図１〜図６に基づいて詳細に説明する。
【００１７】
図１（ａ）は本発明に係るシュリンクフィルムを備えた合成樹脂容器の１実施例を示す正面図であり、（ｂ）は該容器を底面側から見た下面図であり、図２は本発明のシュリンクフィルムをＰＥＴボトルにセットしたときの１実施例を示す正面図であり、図３は本発明に係るシュリンクフィルムを備えた合成樹脂容器の下面に広告を掲載した１実施例を示す下面図であり、図４は本発明に係るシュリンクフィルムを備えた合成樹脂容器よりシュリンクフィルムを剥がす状態の１実施例を示す正面図である。
【００１８】
本発明の１実施例のシュリンクフィルムを備えた合成樹脂容器は、図１（ａ）に示すよ
うに、シュリンクフィルム（２）により形成された筒状フィルムであり、且つミシン目（５）が少なくとも1列、合成樹脂容器の縦方向に付けられた筒状フィルムをＰＥＴボトル（１）等の合成樹脂容器に嵌め合わせる際、該ＰＥＴボトル（１）等の下面の座り部（４）よりも内側の凹み部（３）までシュリンクフィルム（２）が巻かれていることを特徴とするシュリンクフィルムを備えた合成樹脂容器である。
【００１９】
このＰＥＴボトル（１）は、シュリンクフィルム（２）を筒状に形成した筒状フィルムをＰＥＴボトル（１）の胴部に嵌め合わせた後、加熱収縮させることにより装着した物であり、筒状フィルムには、商品名やメーカー名、購買意欲を高めるデザイン等の印刷が施されている。
【００２０】
該シュリンクフィルム（２）には、合成樹脂容器に嵌め合わされた状態で縦方向に平行２列のミシン目（５）が入れられており、ミシン目（５）の幅は、２０ｍｍ程度が望ましい。
【００２１】
図４に示すように、ＰＥＴボトル（１）にシュリンクフィルム（２）を被せる際、ＰＥＴボトル（１）の位置決めをするためのＰＥＴボトル固定治具（６）を従来の高さより変更し、ＰＥＴボトル（１）をより高い位置で保持することで、シュリンクフィルム（２）をＰＥＴボトル（１）下端より一定長さ下まで覆うように被せ、側面より熱風又は高温の蒸気を吹き付けることでシュリンクフィルム（２）を収縮させる。この時、ＰＥＴボトル（１）の座り部（４）よりも５ｍｍ内側にシュリンクフィルム（２）が巻かれるようにＰＥＴボトル（１）下端からシュリンクフィルム（２）下端までの位置を設定する。
【００２２】
このようにして収縮したシュリンクフィルム（２）は、図４に示すように、ＰＥＴボトル（１）下端の座り部（４）とシュリンクフィルム（２）との間に隙間（８）を有する。そのため、容易にシュリンクフィルム（２）の端を指（７）で掛けることが可能となり、ミシン目（５）のある場所に切れ目を入れることで容易にシュリンクフィルム（２）を取り外すことが可能となる。
【００２３】
さらに、図１（ｂ）に示すように、シュリンクフィルムを備えた合成樹脂容器の下面に、図３に示すように、印刷などにより広告等を掲載することが可能になる。
【００２４】
尚、本発明に係わるシュリンクフィルムを備えた合成樹脂容器は、通常のブロー成形法により製造することができる。また、このような合成樹脂容器に用いる合成樹脂としては、例えば、低密度ポリエチレン樹脂（ＬＤＰＥ）、中密度ポリエチレン樹脂（ＭＤＰＥ）、高密度ポリエチレン樹脂（ＨＤＰＥ）、直鎖状低密度ポリエチレン樹脂（Ｌ−ＬＤＰＥ）などのポリエチレン系樹脂、ポリプロピレン樹脂（ＰＰ）などのポリプロピレン系樹脂、ポリスチレン系樹脂、ポリカーボネート系樹脂、ポリアミド系樹脂、ポリエステル系樹脂、その他の熱可塑性成形用樹脂を使用することができるが、中でも、透明性、強度、コスト面、成形性などを考慮するとポリエステル系樹脂が好ましく、特にポリエチレンテレフタレート樹脂（ＰＥＴ）がより好ましい。
【００２５】
前記合成樹脂は、必要に応じて酸化防止剤、熱劣化防止剤、紫外線劣化防止剤、帯電防止剤等の添加剤やその他の樹脂を適量含有していても構わない。
【００２６】
次に、前記シュリンクフィルムは、特に制約されるものではないが、塩化ビニル、ポリプロピレン、ポリエチレン、ポリスチレン、ポリアミド、ポリエステル系樹脂等の延伸フィルム等を用いることができる。中でも、ポリスチレンフィルムが好ましい。
【実施例】
【００２７】
以下に、本発明に係るシュリンクフィルムを備えた合成樹脂容器について、具体的に実施例を挙げて、さらに詳しく説明するが、それに限定されるものではない。
【００２８】
＜実施例１＞
本発明に係るシュリンクフィルムを備えた合成樹脂容器を成形する熱可塑性樹脂には、ポリエチレンテレフタレート樹脂（ＰＥＴ）を使用し、ブロー成形法により、ＰＥＴボトルを成形した。また、シュリンクフィルムには、厚さ５０μｍのポリスチレンフィルムを用いて、グラビア印刷方式により、カラフルな絵柄を印刷した。
【００２９】
次に、図２に示すように、ＰＥＴボトル（１）をＰＥＴボトル固定治具（６）にセットし、前記シュリンクフィルム（２）を筒状に形成した筒状フィルムを、該ＰＥＴボトル（１）下端より所定の長さ下まで覆うように被せた。この時、ＰＥＴボトル（１）の座り部（４）よりも５ｍｍ内側にシュリンクフィルム（２）が巻かれるようにＰＥＴボトル（１）下端からシュリンクフィルム（２）下端までの位置を設定した。
【００３０】
引き続いて、側面より熱風を吹き付け、前記シュリンクフィルム（２）を収縮させて、図１（ａ）に示すように、シュリンクフィルム（２）を装着したＰＥＴボトル（１）を得た。
【００３１】
このようにして得られたシュリンクフィルム（２）を備えたＰＥＴボトル（１）を使用して、該シュリンクフィルム（２）のＰＥＴボトル（１）から容易に剥がすことができるか否か評価したところ、図４に示すように、ＰＥＴボトル（１）下端の座り部（４）とシュリンクフィルム（２）との間に隙間（８）を有しているので、容易にシュリンクフィルム（２）の端を指（７）で掛けることが可能となり、ミシン目（５）のある場所に切れ目を入れることで容易にシュリンクフィルム（２）を取り外すことができた。
【図面の簡単な説明】
【００３２】
【図１】（ａ）は本発明に係るシュリンクフィルムを備えた合成樹脂容器の１実施例を示す正面図であり、（ｂ）は該容器を底面側から見た下面図である。
【図２】本発明のシュリンクフィルムをＰＥＴボトルにセットしたときの１実施例を示す正面図である。
【図３】本発明に係るシュリンクフィルムを備えた合成樹脂容器の下面に広告を掲載した１実施例を示す下面図である。
【図４】本発明に係るシュリンクフィルムを備えた合成樹脂容器よりシュリンクフィルムを剥がす状態の１実施例を示す正面図である。
【図５】従来の手法で作成した場合の１実施例を示す正面図である。
【図６】従来の手法でシュリンクフィルムをＰＥＴボトルにセットしたときの正面図である。
【符号の説明】
【００３３】
１・・・ＰＥＴボトル
２・・・シュリンクフィルム
３・・・凹み部
４・・・座り部
５・・・ミシン目
６・・・ＰＥＴボトル固定治具
７・・・指
８・・・隙間
【図１】
2008285194.tif 000003
【図２】
2008285194.tif 000004
【図３】
2008285194.tif 000005
【図４】
2008285194.tif 000006
【図５】
2008285194.tif 000007
【図６】
2008285194.tif 000008